(57)【要約】      （修正有）【課題】小動物の排尿またはさらに糞を自動除去できる、小動物のケージ用の床板またはこれを用いた小動物用ケージを提供する。【解決手段】小動物用ケージに使用される床板１１であって、床板面に排尿用スリット１１２または孔が形成されている。また、床板１１の下面に交換可能な吸水材１１４が取り付けられている。床板１１を用いた小動物用ケージでは、床板１１は、ケージ底面から高さを持ってセットされ、床板１１は、ケージ壁面との間に隙間を有するように切り欠かれている。【選択図】図４
2019187261.tif 000002
【特許請求の範囲】
【請求項１】
小動物用ケージに使用される床板であって、
床板面に排尿用スリットまたは孔が形成された、
ことを特徴とする床板。
【請求項２】
請求項１に記載の床板であって、
下面に交換可能な吸水材が取り付けられている、
ことを特徴とする床板。
【請求項３】
請求項１または２に記載の床板を用いた小動物用ケージであって、
前記床板は、ケージ底面から高さを持ってセットされ、
前記床板は、ケージ壁面との間に隙間を有するように切り欠かれている、
ことを特徴とする小動物用ケージ。
【請求項４】
請求項１または２に記載の床板を用いた小動物用ケージであって、
前記床板は、ケージ底面から高さを持ってセットされ、
前記床板は、ケージ壁面との間に隙間を有するサイズに構成されている、
ことを特徴とする小動物用ケージ。
【発明の詳細な説明】
【技術分野】
【０００１】
本発明は、小動物用ケージに使用される床板およびこれを用いた前記小動物用ケージに係り、小動物の排尿を自動除去できる技術に関する。
【背景技術】
【０００２】
従来、図１に示すように、試験用マウスＭは、専用のケージ９内で飼育等されることがある（特許文献１）。
【先行技術文献】
【特許文献】
【０００３】
【特許文献１】特開２００４−１９４６０
【発明の概要】
【発明が解決しようとする課題】
【０００４】
ところで、マウスＭの尿によりまたはさらに糞により床面が汚され、マウス居住域の清潔が損なわれる。
【０００５】
本発明の目的は、小動物の尿またはさらに糞を自動除去できる、小動物のケージ用の床板またはこれを用いた小動物用ケージを提供することである。
【課題を解決するための手段】
【０００６】
本発明は、以下を要旨とする。
（１）
小動物用ケージに使用される床板であって、
床板面に排尿用スリットまたは孔が形成された、
ことを特徴とする床板。
【０００７】
（２）
（１）に記載の床板であって、
下面に交換可能な吸水材が取り付けられている、
ことを特徴とする床板。
【０００８】
本発明において、スリットまたは孔は、断面が下方に向かって扇状に開くように形成することができる。
この場合、スリットまたは孔は、床板の表面側では狭いので、尿はスリット内に取り込まれ易くなる。また、スリットは、床板の裏面側では広いので、尿はスリットから下方に排出され易くなる。
また、スリットは、破線状に形成することができる。この場合、スリットの途切れた部分を溝状に構成することができる。
スリットは、＋形，＊形等の適宜の線図形に形成することができる。この場合にも、スリットと隣接するスリット同志は溝で連結することができる。
たとえば、スリットが＋形である場合、スリットは正方格子の格子点に位置し、隣接するスリット同志は直線溝で連結される。また、スリットが＊形である場合、スリットは六角格子の格子点に位置し、隣接するスリット同志は直線溝で連結される。
孔は格子状に散点して配置することができる。
たとえば、孔が正方格子の格子点に位置する場合には、隣接する孔（上下左右の４つの孔またはさらに斜め上，斜め下の４つの孔）同志は直線溝で連結される。
【０００９】
（３）
（１）または（２）に記載の床板を用いた小動物用ケージであって、
前記床板は、ケージ底面から高さを持ってセットされ、
前記床板は、ケージ壁面との間に隙間を有するように切り欠かれている、
ことを特徴とする小動物用ケージ。
【００１０】
（４）
（１）または（２）に記載の床板を用いた小動物用ケージであって、
前記床板は、ケージ底面から高さを持ってセットされ、
前記床板は、ケージ壁面との間に隙間を有するサイズに構成されている、
ことを特徴とする小動物用ケージ。
【発明の効果】
【００１１】
本発明では、尿を吸水材により処理（吸収除去）できるので、ケージ内の清掃が簡単となるし、ケージ内の清潔が確保できる。
また、糞を床下に排出することもできるように構成することもできるので、さらにケージ内の清潔が確保できる。
【図面の簡単な説明】
【００１２】
【図１】図１は、従来のマウス用ケージの説明図である。
【図２】図２は本発明の小動物用ケージに使用される床板の一実施形態を示す説明図であり、（Ａ）は連続スリットを有する床板の説明図、（Ｂ）は（Ａ）における矢視Ｆ−Ｆ方向の床板の断面図である。
【図３】図３は本発明の小動物用ケージに使用される床板の他の実施形態を示す説明図であり、（Ａ）は断続スリットを有する床板の説明図、（Ｂ）は十字スリットを有する床板の説明図である。
【図４】図４は、床板の裏面側に吸水材をセットするための冶具１１８の説明図であり、（Ａ）は裏面図、（Ｂ）は短手側の側面図である。
【図５】図５は、冶具により吸水材を床板の裏面に取り付ける様子を示す説明図であり、（Ａ）は床板の裏面図、（Ｂ）は吸水材を取り付けた後の側面図である。
【図６】図６は本発明のケージの一実施形態を示す説明図であり、（Ａ）はケージの平面図、（Ｂ）はケージの側面図である。
【図７】図７は本発明のケージに使用する床板の下に空間を形成するスペーサを示す図である。
【発明を実施するための最良の形態】
【００１３】
図２から図５は本発明の小動物用ケージに使用される床板の実施形態を示す説明図である。
図２から図５に示す床板は、試験用マウスの飼育等に使用される。
図２は本発明の小動物用ケージに使用される床板１１の一実施形態示す説明図であり、（Ａ）は連続スリットを有する床板１１の表面図、（Ｂ）は（Ａ）における矢視Ｆ−Ｆ方向の床板１１の断面図である。
【００１４】
図２（Ａ）に示すように、床板１１は、矩形の合成樹脂板１１１から構成されている。
スリット１１２は、ストライプ状に形成されている。
図２（Ｂ）に示すように、スリット１１２は断面が下方に向かって扇状に開くように形成されている。この場合、スリット１１２は、合成樹脂板１１１の表面側では狭いので、尿はスリット内に取り込まれ易くなる。また、スリット１１２は、合成樹脂板１１１の裏面側では広いので、尿はスリットから下方に排出され易くなる。
【００１５】
スリット１１１は連続していてもよいし、図３（Ａ）で述べるように断続していてもよい。断続箇所を多くすると、スリット１１２は破線状または点線状となる。スリット１１２が断続する箇所は溝状に形成される。
【００１６】
図３は本発明の小動物用ケージに使用される床板の他の実施形態を示す説明図であり、（Ａ）は断続スリットを有する床板１１の説明図、（Ｂ）は十字スリットを有する床板１１の説明図である。
図３（Ａ）では、スリット１１２の断続部分には溝Ｇが形成されている。
図３（Ｂ）では、スリット１１２は、十字形状に形成されている。十字の中心は、正方格子の格子点に形成されている。図２（Ｂ）に示すように、隣接するスリット１１２同志は溝Ｇでつながっている。
【００１７】
図４は、合成樹脂板１１１の裏面側に吸水材をセットするための冶具１１３の説明図であり、（Ａ）は裏面図、（Ｂ）は短手側の側面図である。
図４（Ａ），（Ｂ）に示すように、冶具１１３には、合成樹脂板１１１の両長手辺に契合できる爪１１１２が、当該両長手辺に対応する部分に設けられている。  
【００１８】
図５は、冶具１１３により吸水材１１４を合成樹脂板１１１に取り付ける様子を示す説明図であり、（Ａ）は床板１１の裏面図である。
図５（Ｂ）は（Ａ）の吸水材１１４が取り付けられた床板１１の断面説明図である。
図５（Ｂ）に示されるように冶具１１３の爪１１３１が、合成樹脂板１１１の両長手辺に契合することで、冶具１１３と合成樹脂板１１１との間に設けた吸水材１１４は、合成樹脂板１１１の裏面に圧接する。なお、吸水材１１４は、典型的には紙等の吸水性不織布から構成することができる。
【００１９】
図６は本発明の小動物用ケージの一実施形態を示す説明図であり、（Ａ）は小動物ケージを示す平面図であり、（Ｂ）は小動物用ケージの側面説明図である。
図６において、小動物用ケージ２は、前述した床板１１と、透明ケース２１と、スペーサ３とからなる。
透明ケース２１の内部にはスペーサ３が設置され、スペーサ３上に床板１１が載置されている。なお、スペーサ３を床板１１の一部とし、合成樹脂板１１１の四隅に、着脱可能にまたは一体に取り付けるようにしてもよい。
【００２０】
図７にスペーサ３の一例を示す。図７ではスペーサ３は、フレーム３１とその四隅に設けられた柱３２から構成されている。
合成樹脂板１１１の両長手辺には切り欠き部ＣＯが形成されている。マウスＭの糞Ｓは、当該マウスＭの尻尾振り動作により、切り欠き部ＣＯから床板１１の下に落下するので、糞Ｓによりケージ２内の衛生が害されることはない。
【符号の説明】
【００２１】
１１  床板
１１１  合成樹脂板
１１２  スリット
１１３  冶具
１１４  吸水材
２  小動物用ケージ
２１  ケース
３  スペーサ
３１  フレーム
３２  柱
ＣＯ  切り欠き部
Ｇ  溝
Ｍ  マウス
【図１】
2019187261.tif 000003
【図２】
2019187261.tif 000004
【図３】
2019187261.tif 000005
【図４】
2019187261.tif 000006
【図５】
2019187261.tif 000007
【図６】
2019187261.tif 000008
【図７】
2019187261.tif 000009